(57)【要約】【課題】電話機のキーパッドの配置及び操作管理を容易にする。【解決手段】ユーザインタフェースは、電話機のメニュー構造に対するアクセス及び呼出を行うキーパッド２と、キーパッド２の現在の機能を表示するディスプレイ３と、キーパッド２の機能及びディスプレイ３に表示された情報を制御する制御ユニットとを有している。電話機は、制御ユニットによって制御される複数の状態を仮定し、これによって、関連の状態に関する予め設定されたグループを、キーパッド２によって実行することができ、制御ユニットは、キーパッドに対する現在の機能として動作のグループから動作を選択し及び表示する。【選択図】図３
2005124234.tif 000002
【特許請求の範囲】
【請求項１】
ユーザインタフェースを有する電話機であって、
前記ユーザインタフェースは、
前記電話機のメニュー構造に対するアクセス及び呼出を行う多機能キーと、前記多機能キーの現在の機能を表示するディスプレイと、前記電話の状態と、前記多機能キーの機能及び前記ディスプレイに表示された情報とを制御する制御ユニットとを備え、
前記電話機が、ユーザの入力及び／又はネットワーク機能に依存し且つ前記制御ユニットによって制御される複数の前記状態を有し、
これによって、関連の状態に関する予め設定された動作のグループが、前記多機能キーによって実行され、
前記制御ユニットが、前記電話の状態に依存して、前記多機能キーに対応して予め設定された動作のグループを定義し、
前記多機能キーのデフォルト機能として表示するために、前記動作のグループから特定の動作を選択することを特徴とする電話機。
【請求項２】
前記多機能キーは、さらにユーザによる電話番号データベースの処理のアクセスを提供することを特徴とする請求項１に記載の電話機。
【請求項３】
前記ユーザインタフェースが、文字・数字キーのセットと、前記多機能キーと、前記多機能キーの補助機能にアクセス可能なスクロールキーと、「クリア」キーとを有することを特徴とする請求項１に記載の電話機。
【請求項４】
電話番号データベースの記録の処理が、前記多機能キーにより可能で、前記処理は、新しい記録の入力及び修正、又は既存の記録の消去を含むことを特徴とする請求項３に記載の電話機。
【請求項５】
前記多機能キーのデフォルト機能は、前記電話番号データベースの記録が表示されたとき、「呼出確立」となることを特徴とする請求項４に記載の電話機。
【請求項６】
前記多機能キーのデフォルト機能は、電話番号が入力されディスプレイに表示されたとき、「呼出確立」となることを特徴とする請求項１に記載の電話機。
【請求項７】
前記多機能キーのデフォルト機能は、呼び出しが確立したとき、「呼出終了」となることを特徴とする請求項１記載の電話機。
【請求項８】
前記多機能キーのデフォルト機能は、呼出処理すなわち呼出確立、呼出到来の回答、及び呼出終了であることを特徴とする請求項１に記載の電話機。
【請求項９】
前記電話機のアイドルモード状態において、前記表示された機能が、前記電話機の主メニューを開く機能に相当することを特徴とする請求項１に記載の電話機。
【請求項１０】
前記電話機の電話番号処理状態において、前記表示された機能が、前記ディスプレイに表示された番号に一致する電話番号を呼び出す機能に相当することを特徴とする請求項９に記載の電話機。
【請求項１１】
前記電話機の呼出確立状態において、前記表示された機能が、前記電話機を置いてオンフックする通話終了機能に相当することを特徴とする請求項９に記載の電話機。
【請求項１２】
前記電話機の呼出到来状態において、前記表示された機能が、前記呼出到来に応答する機能に相当することを特徴とする請求項９に記載の電話機。
【発明の詳細な説明】
【技術分野】
【０００１】
本発明は、ユーザインタフェースを有し、そのインタフェースが、ディスプレイと、多機能の多機能キーを有するキーパッドとを備える電話機又はハンドセットに関する。
【背景技術】
【０００２】
用語「電話機」は、電磁波／無線波を通じて音声又はデータを有する信号を送信機／受信機を備える他のユニットに送信することが出来る送信機／受信機を有する携帯すなわち移動ユニットをカバーする。
【発明の開示】
【発明が解決しようとする課題】
【０００３】
モデルＮｏｋｉａ  ２０及びＮｏｋｉａ  ８１１０として出願人から市販されている電話機は、アクセス電話セッティング、ハンドリングメッセージ、セッティング呼出オプション、安全オプション等の多機能を有する二つのメニュー操作キー（ソフトキー）に基づく現在主流のユーザインタフェーススタイルのタイプである。アイドルモードにおいて、電話機の二つのソフトキーによって、メニュー構造及び電話帳のそれぞれにアクセスすることが出来る。
【０００４】
電話帳は、電話機のＳＩＭカード又は電話機自体のメモリに記憶された電話番号のデータベースである。呼出操作は、他の二つのキーによって処理され、一つのキーが呼出を確立し、又は、回答するためのものであり、もう一つのキーが、呼出を終了するためのものである。これら二つのキーは、呼出確立キーを一斉の会議呼出を確立するために複数回用いる必要があるというために分離している。しかしながら、ユーザは、より良好に配置され、かつ、より操作し易いキーボードを求めている。
【課題を解決するための手段】
【０００５】
上記課題を達成するために、本発明の電話機は、ユーザインタフェースを有する電話機であって、そのユーザインタフェースは、電話機のメニュー構造に対するアクセス及び呼出を行う多機能キーと、多機能キーの現在の機能を表示するディスプレイと、電話の状態と、多機能キーの機能及びディスプレイに表示された情報とを制御する制御ユニットとを備え、電話機が、ユーザの入力及び／又はネットワーク機能に依存し且つ制御ユニットによって制御される複数の状態を有し、これによって、関連の状態に関する予め設定された動作のグループが、多機能キーによって実行され、制御ユニットが、電話の状態に依存して、多機能キーに対応して予め設定された動作のグループを定義し、多機能キーのデフォルト機能として表示するために、動作のグループから特定の動作を選択することを特徴とする。
【０００６】
多機能キーは、さらにユーザによる電話番号データベースの処理のアクセスを提供することを特徴とする。
【０００７】
ユーザインタフェースが、文字・数字キーのセットと、多機能キーと、多機能キーの補助機能にアクセス可能なスクロールキーと、「クリア」キーとを有することを特徴とする。
【０００８】
電話番号データベースの記録の処理が、多機能キーにより可能で、処理は、新しい記録の入力及び修正、又は既存の記録の消去を含むことを特徴とする。
【０００９】
多機能キーのデフォルト機能は、電話番号データベースの記録が表示されたとき、「呼出確立」となることを特徴とする。
また、多機能キーのデフォルト機能は、電話番号が入力されディスプレイに表示されたとき、「呼出確立」となることを特徴とする。
また、多機能キーのデフォルト機能は、呼び出しが確立したとき、「呼出終了」となることを特徴とする。
さらに、多機能キーのデフォルト機能は、呼出処理すなわち呼出確立、呼出到来の回答、及び呼出終了であることを特徴とする。
【００１０】
電話機のアイドルモード状態において、表示された機能が、電話機の主メニューを開く機能に相当することを特徴とする。
【００１１】
電話機の電話番号処理状態において、表示された機能が、ディスプレイに表示された番号に一致する電話番号を呼び出す機能に相当することを特徴とする。
【００１２】
電話機の呼出確立状態において、表示された機能が、電話機を置いてオンフックする通話終了機能に相当することを特徴とする。
【００１３】
電話機の呼出到来状態において、表示された機能が、呼出到来に応答する機能に相当することを特徴とする。
【発明の効果】
【００１４】
本発明の電話機によれば、呼出操作キーを、既に用いられたメニュー処理キーに備えることが出来る。
【発明を実施するための最良の形態】
【００１５】
次に、本発明の電話機の実施の形態を図面を参照して詳細に説明する。
図１は本発明の電話機の実施の形態における構成を示す図である。図１において、一般的な電話機１は、インタフェースを備え、そのインタフェースは、キーパッド２、ディスプレイ３、オン／オフボタン４、受話器５及びマイクロホン６を有することは明らかである。
【００１６】
キーパッド２は、アルファベットなどの文字と数字とからなるキーの形態の第１群のキー７を有し、それによって、ユーザが、電話番号を入力し、テキストメッセージ（ＳＭＳ）を書き込み、（電話番号に関連する）名前を書き込むことなどが出来る。ユーザは、主に電話機にデータを入力する（エントリー事象）ために第１のキー群を用いる。
【００１７】
キーパッド２は、第２群のキーを更に備え、その第２群のキーは、好適な実施の形態において、多機能の単一多機能キーを備え、その機能は、電話機の現在の状態に依存する。単一多機能８のデフォールト機能、又は、現在の機能は、ディスプレイ３の予め設定された区域２１に表示される。
【００１８】
好適な実施の形態において、第２群のキーは、更に、スクロールキー９を備え、それによって、ユーザが、電話機のメニューループ中で、あるアイテムから以前の又はそれに続くアイテムを選択的に飛び越して、その処理を実行する。同時に、ユーザは、単一多機能キーを作動させることによって主メニューループに関連するアイテムの下でサブメニューループにアクセスする。
【００１９】
クリアキー１０を、例えば、短時間押下することによって最後に入力した数字又は文字を消去する際に用いる。また、長時間押下することによって、全番号又は単語を消去する。単一多機能キー８のように、スクロールキー９及びクリアキー１０を、好適にはある状態に再規定することができる。これは後程説明する。
【００２０】
図３は、移動電話機の好適な実施の形態の最重要部を線図的に示し、その部分は、本発明の理解に必須である。本発明による電話機の好適な実施の形態は、ＧＳＭネットワークに接続して用いるのに適合されるが、本発明を、セルラネットワーク、種々の形態のコードレス電話システムのような他の電話ネットワークに接続するのに適用することもできる。
【００２１】
マイクロホン６は、ユーザの音声を記録し、これによって形成されたアナログ信号が、音声がオーディオコーデックユニット１４で符号化される前にＡ／Ｄコンバータ１５でＡ／Ｄ変換される。符号化された音声信号は、ＧＳＭ端末ソフトウェアをサポートする物理層プロセッサ１７に転送される。
【００２２】
物理層プロセッサ１７は、メモリ（ＲＡＭ，ＲＯＭ）、ディスプレイ３及びキーパッド２（並びにＳＩＭ、データ、電源、ＲＡＭ、ＲＯＭ等）を含む装置の周辺ユニット１５に対するインタフェースを形成する。物理層プロセッサ１７は、ベースバンドコンバータ１９及びチャネルエコライザ１６を通じてＲＦ部１９と通信する。
【００２３】
オーディオコーデックユニット９は、入力信号を音声信号に複号化し、それを物理層プロセッサ１７からＤ／Ａコンバータ１３を通じて受話器５に転送する。ユニット１３〜１８は、通常チップセットに集積され、このような市販のチップセットの一例は、Ｔｅｃｈｎｏｌｏｇｙ  Ｐａｒｔｎｅｒｓｈｉｐ  （ＴＴＰ）からの関連のプロトコルソフトウェアを有するＡｎａｌｏｇ  ＤｅｖｉｃｅからのＡＤ２０ｍｓｐ４１０ＧＳＭとして供給されている。
【００２４】
好適な実施の形態においてそれ自体既知の方法で制御ユニットとして作用する物理層プロセッサ１７を、ユーザインタフェースに接続する。したがって、電話機の動作を監視するとともにそれに応答してディスプレイ３，１１を制御するのは物理層プロセッサ１７である。
【００２５】
したがって、状態変化事象の発生を検出するとともに電話機、したがって表示テキストの状態を変えるのは、物理層プロセッサ１０である。状態変化事象は、ユーザがキーパッドを押すときに（エントリー事象と称する）発生するおそれがあり、これは電話機のネットワーク接続又は非ユーザ事象と称するユーザの制御の及ばない他の事象によっても発生する。非ユーザ事象は、呼出セットアップ中の状態変化、バッテリー電圧の変化、アンテナ状態の変化、ＳＭＳの受信のメッセージの変化等を備える。
【００２６】
本発明は、電話機が複数の予め設定した状態４０．１〜４０．１ｎを仮定することが出来るという概念に基づくものであり、これを図２に示す。複数の動作（オプション４１．１〜４１．ｎ）を、これら状態４０．１〜４０．１ｎで実行することが出来る。
【００２７】
状態４０．１に到達するディスプレイ画像を、電話番号又は電話機の電話帳に含まれる人名とすることができ、それを「状態」によって表す。「状態」は、「呼出到来」、「Ｅメール呼出」、「Ｅメール受信」、「ＳＭＳ受信」等をカバーする。
【００２８】
ディスプレイが電話番号を含む場合、デフォールト機能４２．１〜４２．ｎは「呼出」となる。スクロールキー８によって、デフォールト機能から、デフォールト機能が属する、あり得る機能のグループに切り替えることが出来る。好適な実施の形態において、スクロールキー８は、デフォールト機能と、あり得る機能のグループ（オプション）との間を切り替える（トグルする）が、一度、このグループが操作キーによって選択されると、あり得る機能のグループのアイテム間で切り替えることができる。この状態はオプションによってトグル動作とスクロール動作との間で維持される。
【００２９】
図２からわかるように、状態変化事象によって、ある状態から他の状態に変化する。新状態は、旧状態と状態変化事象の性質とに依存する。確立された呼出（「呼出確立」状態）中、単一多機能キー８のデフォールト機能は、好適な実施の形態では「終了」となる。
【００３０】
新たに到来する呼出が「待機」であるとき、ユーザは、呼出を中断することなく、スクロールキー９を用いて、「終了」、「参加」、「回答」及び「交換」のようなアイテムを含むオプションリストを発生させることが出来る。
【００３１】
各状態４０．１．．．４０．ｎは、その状態に対して正にあり得る動作、すなわち、オプション４１．１．．．４１．ｎの予め規定されたグループに関連している。一斉の会議呼出の確立は、例えば、呼出が既に確立されたときにのみ実行される。デフォールト機能４２．１．．．４２．ｎとして作用する好適な機能を、これらグループの各々に設計する。
【００３２】
この設計は、プログラミング中にプログラマによって、デフォールト機能のユーザの再規定によって、又は、電話機それ自体によって行われ、この場合、電話機は個々の機能の使用の頻度を記録するとともに、付加的にユーザの容認を用いるデフォールト機能として各グループで最も頻繁に用いたものを指定する。
【００３３】
電話機がその状態を変化すると、単一多機能キーを作動させるとデフォールト機能を実行し、ユーザは、デフォールト機能とオプションの全グループとの間をスクロールキーによって切り替える（トグルする）ことが出来る。オプションのグループを単一多機能キーによって選択する場合、ユーザは、スクロールキーによってオプションのグループをスクロールすることが出来るとともに、多機能キーを用いて所望の（設計した）機能を選択することが出来る。
【００３４】
単一多機能キーを用いて機能を選択すると、物理層プロセッサ１７は関連のプログラムシーケンスを処理して、その機能を実行する。
【００３５】
図４は、ディスプレイテキストを、操作したキーパッドのキーの表示とともに示す。ディスプレイ３を、ディスプレイの予め設定された区域（ソフトキーディスプレイ），１１，２１の強調されたバーとしてソフトキー８の機能を示す表示画像２０（「アイドルモード」状態）を有する。
【００３６】
アイドルモードのソフトキー８の機能は、電話機の主メニューループにアクセスすることである。表示画像２０の上部は、関連のネットワークオペレータの表示（ここではＴＤＫ−ＭＯＢＬＥ）を示す。表示画像２０は、アンテナ信号強度の指度及びバッテリー電圧を示す指度を追加的に含むことが出来る。これらはデフォールト機能の説明に重要でないので、これらは図示しない。
【００３７】
ユーザが図１のアルファベットなどの文字と数字とからなるキーの形態の第１群のキー７を入力すると、物理層プロセッサ１７はこれを記録し、電話機は「番号処理状態」に変化する。デフォールト機能をここでは呼出確立とし、「呼出」は、したがって、ソフトキーのディスプレイ１１に表示される。電話機がアイドルモードから変更される際に、オペレータ表示が消去され、入力された文字が表示画像２０の主区域１２，２３に画面表示される。
【００３８】
複数の番号が入力されると、最初に入力された番号の後に入力されたものとして、これら複数の番号が表示される。ソフトキー８を作動させると、物理層１７の制御の下で電話機を「呼出確立状態」に変更する呼出の確立を試み、ソフトキー８の新機能「終了」を表示画像１１，２１に表示する。呼出の確立を試みるディスプレイを同時に示し、これを表示「呼出中」によって行う。確立すべき接続を行う番号を、ディスプレイの主区域に表示する。
【００３９】
呼出が確立されると、これをディスプレイのトップで表示「接続」及び呼出が確立されることによる電話機の表示によって示す。図示される分岐から理解できるように、プロセッサが関連の電話帳の番号を識別する場合、この表示を主区域の電話番号又はネームコード２３ａとすることが出来る。
【００４０】
ソフトキー８のデフォールト機能は「終了」のままであり、これをソフトキーの表示画像２１に示す。もう一度ソフトキー８を作動させると、呼出が中断され、電話機は、アイドルモードの表示画像２０の「アイドルモード状態」に戻る。
【００４１】
図５は、対応するシナリオを示す。ここで、ユーザは、主メニューループの下で電話機の電話帳にアクセスするためにアイドルモード表示画像２０からキースクロール９を用いるよう決定し、これによって、電話帳の最初の格納位置の電話番号及びネームコードを表示画像に表示する。
【００４２】
電話機は、「番号処理状態」に変化し、操作キー８の新たなデフォールト機能「呼出」が、ソフトキーの表示画像２１に表示される。スクロールキー９の継続的な使用によって、ユーザが、ユーザが所望する番号を見つけるまで電話帳をスクロールすることが出来る。
【００４３】
操作キー８がデフォールト機能として「呼出」機能を維持するので、呼出を、操作キー８を押すことによって確立したままにすることが出来る。その後、図４に関連して説明したように、呼出を確立し及び終了することが出来る。
【００４４】
図６は、到来する呼出を表示する方法を示す。電話機が呼出到来を記録すると、物理層プロセッサ１７は、非ユーザ事象としてこれを検出し、電話機は、「アイドルモード状態」から「呼出到来状態」に変化し、その結果、表示画像２０は新たな表示画像２４に変化する。
【００４５】
呼び出している電話機は、電話番号（右側の分岐）又は名前のコード（左側の分岐）によって識別され、それは電話番号の電話帳から認識される。ある場合には、呼び出している電話機を識別することが出来ない。したがって、識別フィールドは空である（図示せず）。
【００４６】
操作キー８は、物理層プロセッサ１７の制御の下で新たなデフォールト機能を仮定し、同時に、本実施の形態では、新たなデフォールト機能は呼出に回答する（「回答」）。呼出が確立されると、電話機は「呼出確立状態」に変化し、表示画像は、呼び出している電話機の名前のコードを表示し、又は名前のコードが認識されない場合には呼出が生じたことのみを表わす。
【００４７】
この状態において、操作キー８のデフォールト機能は「終了」となり、この終了をソフトキーの表示画像２１に表示し続ける。操作キー８が操作されると、呼出が中断され、電話機は、アイドルモードの表示画像２０で「アイドルモード」に戻る。
【００４８】
図７は、到来する呼出が検出されるとともに、電話機がデフォールト機能「回答」で「呼出到来状態」に変化したときに表示画像２０，２４が変化する方法を対応して示す。ユーザが呼出に回答することを所望しない場合、ユーザは、ｃキーを押すことによって呼出を拒否し、又は、ボイスメールに転換する態様を有する場合には呼出をボイスメールに転換する。この際、電話機はアイドルモード表示画像２０で「アイドルモード状態」に戻る。
【００４９】
図９は、操作キー８を押すことによって表示画像２０（アイドルモード表示）での「アイドルモード状態」から主メニューに変更する方法を示す。ここで、電話機へのアクセスをデフォールトとして表わす。ユーザがこれを選択すると、ユーザは、表示画像２６を通じて電話帳の個々のサブメニューアイテム間で選択することが出来る。
【００５０】
「アイドルモード状態」において、ユーザが代わりに電話番号を入力し始めると、電話機は、デフォールト機能としての「呼出」のある表示画像２７での「番号処理状態」に変化する。ユーザは、スクロールキー９によってこの状態（表示画像２８）の、あり得る機能に切り替え、これら機能は電話帳のサブメニューアイテム（表示画像２６）を備える。また、ユーザが「番号処理状態」のデフォールト機能を選択する場合、電話機は呼出の確立を開始する（表示画像２９）。
【００５１】
電話機がアイドルモードであるとき、電話機は、接続を維持するためにページングメッセージを通じて規則的な間隔で固定局と通信し、バッテリー、キーパッド等の形態の周辺ユニットを監視する。これらの動作を制御するのはマイクロプロセッサ１０ａであり、それが事象を検出すると、それは、電話機がその状態を例えば「アイドルモード状態」から「呼出到来状態」に変化させるべきであるか否か検査する。
【００５２】
図８は、このプロセスを示し、この場合、ステージ１のプロセッサは、発生事象を監視及び検出する。検出した事象が状態変化事象でない場合、プロセッサは、検索ステージに戻るとともに、新事象を検索する。プロセッサが、決定ステージ３２で、状態変化事象として事象を識別すると、プロセッサはステージ３３で新状態を識別し、それは状態ツリーによって生じ、旧表示テキストを、新テキストの新デフォールト機能表示に置換し、これがステージ３４で発生する。
【００５３】
電話機の機能を単一操作キーによって非常に良好に制御された好適な実施の形態を示したが、タッチ感知ディスプレイに付加的に統合された第２グループのキーの二つ以上の操作キーを用いることも予測し得る。
【００５４】
既に説明したように、種々の変形が本発明の範囲内で可能であることは当業者には明らかである。
【００５５】
本開示の範囲は、顕在的又は潜在的な新規な特徴及びその組合せを含み、その一般化は、それが請求項の発明に関するものであるか否かにかかわらず、本発明によって指摘された課題の一部又は全てを軽減する。出願人は、これによって、この用途又はこれから得られる他の任意の用途の実行する間に新たな請求項を形成することが出来ることを知らせる。
【図面の簡単な説明】
【００５６】
【図１】本発明によるユーザインタフェースを有する携帯電話機の好適な実施の形態における正面図である。
【図２】電話機の状態間の切替状態を説明するための図である。
【図３】本発明の理解に必要な携帯電話機のハードウェア部の線図である。
【図４】呼出確立に関連した表示画像のシーケンスを示す図である。
【図５】呼出確立に関連した表示画像の他のシーケンスを示す図である。
【図６】呼出回答に関連した表示画像のシーケンスを示す図である。
【図７】呼出拒否に関連した表示画像のシーケンスを示す図である。
【図８】本発明による電話機の制御ユニットの決定プロセスを表わすフローチャートである。
【図９】呼出確立に関連した表示画像のシーケンス及び電話帳のアクセス状態を説明するための図である。
【符号の説明】
【００５７】
１  電話機
２  キーパッド
３  ディスプレイ
４  オン／オフボタン
５  受話器
６  マイクロホン
７  第１群のキー
８  操作キー
９  スクロールキー
１０  クリアキー
１３  Ｄ／Ａコンバータ
１４  オーディオコーデックユニット
１５  Ａ／Ｄコンバータ
１６  チャネルエコライザ
１７  物理層プロセッサ
１８  ベースバンドコンバータ
１９  ＲＦ部
２０，２４，２６，２７，２８，２９  表示画像
２１  区域
２３  主区域
４０．１．．．４０．ｎ  状態
４１．１．．．４１．ｎ  オプション
４２．１．．．４２．ｎ  デフォールト機能
【図１】
2005124234.tif 000003
【図２】
2005124234.tif 000004
【図３】
2005124234.tif 000005
【図４】
2005124234.tif 000006
【図５】
2005124234.tif 000007
【図６】
2005124234.tif 000008
【図７】
2005124234.tif 000009
【図８】
2005124234.tif 000010
【図９】
2005124234.tif 000011